(57)【要約】【課題】  エレベータのかご照明灯の保守点検がやりやすく、かついたずらされにくいエレベータの天井照明装置を実現すること。【解決手段】  エレベータかごの天井３に、内部に照明灯６を備えた第２天井２０を設けたエレベータ照明装置において、第２天井２０は操作口２４を開閉する操作口蓋２５ａ〜２５ｈを備えている。この操作口蓋２５ａ〜２５ｈは下部がヒンジ２６によって回動自在に枢着され、上部はロック装置３０によってロックされている。この操作口蓋２５ａ〜２５ｈを開くときには、第２天井２０と天井板２１との間からロック解除具４０を挿入して、ロック装置３０のロックを解除する。これによりいたずらによって操作口蓋２５ａ〜２５ｈが開けられる可能性を小さくする。【選択図】      図３
2007246243.tif 000002
【特許請求の範囲】
【請求項１】
エレベータかごの天井に第２天井を設けた構成のエレベータ照明装置において、前記第２天井は固定部と複数の可動部とを有し、該可動部は、一側は前記固定部に枢着され他側は第２天井の外側から動作可能なロック装置によって前記固定部に着脱自在にロックされる構成であることを特徴とするエレベータかごの天井照明装置。
【請求項２】
前記第２天井の外側から動作可能なロック装置は、前記複数の可動部のうちの少なくとも１つの可動部をロックするように設置されており、他の可動部には第２天井の内側から動作可能な締結器具が設置されていることを特徴とする請求項１に記載のエレベータかごの天井照明装置。
【請求項３】
前記ロック装置は、ラッチ機構とロックピンからなり、ラッチ機構がロックピンを拘束することによりロック状態となり、ラッチ機構がロックピンを解放すると解除状態となる構成であり、前記可動部と固定部の一方にはラッチ機構、他方にはロックピンが設けられている構成であることを特徴とする請求項１又は２に記載のエレベータかごの天井照明装置。
【請求項４】
前記ラッチ機構は第１爪部材と第２爪部材を有し、両爪部材によって前記ロックピンを拘持するロック位置と前記ロックピンを解放するロック解除位置を取るとともに各位置で安定しており、前記第１爪部材と第２爪部材の間に前記ロックピンを押し込むことによってロックピンを拘持し、前記第２爪部材の作動部を移動させることによって前記ロックピンを解放する構成であることを特徴とする請求項３に記載のエレベータかごの天井照明装置。
【発明の詳細な説明】
【技術分野】
【０００１】
本発明は、エレベータかごの天井に第２天井を設けた構成のエレベータかごの天井照明装置の改良に関するものである。
【背景技術】
【０００２】
図７は、従来のエレベータかごの天井照明装置の概略を示す縦断面図、図８は図７の要部拡大図である。図において１はエレベータかご、２はかご壁、３はかごの天井、４は天井３に設けられた非常救出口、５は上方に回動する非常救出口の蓋、６は照明灯である。７は照明灯を覆って天井３に設けられた第２天井で、かご内に面する下面には照明板８及び照明板８に配置された意匠凸部８ａを有している。この照明板８の一部には照明灯６の点検口９とこの点検口９の蓋１０が設けられている。１１は点検口蓋１０の一側に設けられて蓋１０をかご内に開閉するヒンジ、１２は点検口蓋１０の他側に設けられたねじ穴を有する係止部材、１３は第２天井７の縁部に取り付けられたツマミねじで、通常は係止部材１２のねじ穴に螺着され、点検口蓋１０の反対側端部を保持している。
【０００３】
１４は、第２天井７のツマミねじ１３側の側面に形成された操作口で、第２天井７の外側から手を挿入してツマミねじ１３の操作が可能な大きさに形成されている。１５は操作口１４の上端部に固着されたばねヒンジ１６を軸として、第２天井７の内側に回動自在に枢着された操作口蓋で、通常はばねヒンジ１６のばね力及び自重によって操作口１４を塞いでいる。
【０００４】
次に、この従来技術の保守点検時の操作を説明する、まずかご内から、第２天井７の側面の操作口１４の蓋１５を押圧しながら、ツマミねじ１３を取り外す。これにより点検口蓋１０は自重によって急激にヒンジ１１を中心に下方に回転しようとするので、反対側の手で点検口蓋１０の下面を支持しながら、作業を行う。そして点検口蓋１０が下方に回転して点検口９が開口すると、この開口した点検口９から照明灯６の点検・交換を行う。
【０００５】
保守点検が終了したら、前記と逆の手順で点検口蓋１０を閉じ、点検口蓋１０の係止部材１２のねじ穴にツマミねじ１３を螺着する。そして操作口１４から手を取り出せば自重及びばねヒンジ１６のばね力によって、操作口蓋１５が閉じる。
【０００６】
【特許文献１】実開平５−１９２７３号公報
【発明の開示】
【発明が解決しようとする課題】
【０００７】
前記従来技術では、操作口蓋１５はばねヒンジ１６のばね力と自重のみで操作口１４を塞いでいるだけなので、誰でも容易に開くことができる。そのためいたずらによって操作口蓋１５が開閉される可能性が高いという問題があった。
【課題を解決するための手段】
【０００８】
本発明は、エレベータかごの天井に第２天井を設けた構成のエレベータ照明装置において、前記第２天井は固定部と複数の可動部とを有し、該可動部は、一側は前記固定部に枢着され他側は第２天井の外側から動作可能なロック装置によって前記固定部に着脱自在にロックされる構成としたものである。
【０００９】
また本発明は、前記第２天井の外側から動作可能なロック装置は、前記複数の可動部のうちの少なくとも１つの可動部をロックするように設置されており、他の可動部には第２天井の内側から動作可能な締結器具が設置されていることを特徴としたものである。
更に前記ロック装置は、ラッチ機構とロックピンからなり、ラッチ機構がロックピンを拘束することによりロック状態となり、ラッチ機構がロックピンを解放すると解除状態となる構成であり，前記可動部と固定部の一方にはラッチ機構、他方にはロックピンが設けられており、前記可動部と固定部との間から前記ラッチ機構を操作する構成としたものである。
更にまた、前記ラッチ機構は第１爪部材と第２爪部材を有し、両爪部材によって前記ロックピンを拘持するロック位置と前記ロックピンを解放するロック解除位置を取るとともに各位置で安定しており、前記第１爪部材と第２爪部材の間に前記ロックピンを押し込むことによってロックピンを拘持し、前記第２爪部材の作動部を移動させることによって前記ロックピンを解放する構成としたものである。」
【発明の効果】
【００１０】
本発明によれば、ロック装置を操作しないと可動部（操作口蓋など）を開くことができないので、いたずらされにくくなる。
【発明を実施するための最良の形態】
【００１１】
本発明の実施の形態を図１〜図６により説明する。図１はかご内から天井を見上げた図、図２は図１のＡ−Ａ断面図であり、この実施形態では、中央が凹んだロ字上の天井照明装置となっている。図３，４は図２のＢ部詳細説明図、図５，６はロック装置の動作を示す説明図で、図３のＣ−Ｃ視図に相当する図である、また図７，８と同一符合は同一のものを示している。
【００１２】
図において、２０はかご内にロ字上に突出した第２天井であり、この第２天井２０に囲まれた天井３の部分には装飾用の天井板２１が設置されている。２２は枠２３に支持された透光性の照明板、２４は操作口、２５ａ〜２５ｈは操作口２４の蓋であり、その下辺はヒンジ２６によって枠２３に枢着されている。２７は操作口蓋２４の上辺に固定されたロック用のボルトである。
３０はブラケット２８によって第２天井２０に固定されたロック装置で、図３に示すように、操作口蓋２５ｆが閉じているときは、ボルト２７を拘持し、図４に示すように、操作口蓋２５ｆを開くときには、ボルト２７はロック装置３０から解放される。
【００１３】
図５，６に示すように、ロック装置３０は、ラッチ機構とロックピンからなっている。本実施形態の場合、ボルト２７がロックピンに相当する。ラッチ機構３１は、フレーム３２に、第１爪部材３３及び第２爪部材３４を、それぞれ枢軸３３ａ，３４ａによって枢着した構成である。両爪部材３３，３４にはボルト２７を拘持するための拘持面３３ｂ，３４ｂが形成されており、またばねを内蔵していて、図５，図６の各状態において安定している。
図５はロック状態を示しており、ロック装置３０がボルト２７を拘持している。この状態は図３の状態でもある。保守点検時に操作口蓋２５ｆを開く必要が生じたときには、かご内から第２天井２０と天井板２１との間に板状のロック解除具４０を挿入し、図５矢印で示すように水平移動して、第２爪部材３４を反時計方向に回転させる。これによって第１爪部材３３も反時計方向に回転して、ボルト２７の拘持が外れ、図６の状態（ロック解除）になる。ボルト２７が外れると、第２爪部材３４は内蔵されたばねにより元の位置に復帰する。これにより図４に示すように、操作口蓋２５ｆは内側（図４の反時計方向）に回転可能になり、照明灯６の点検・交換が行える状態になる。
【００１４】
操作口蓋２５ｆを閉じるときには、操作口蓋２５ｆの外面（図３，４の実線の蓋２５ｆの右側面）に吸盤を取り付けて操作口蓋２５ｆを図４の時計方向に回転して閉じる。このとき、ボルト２７は第１及び第２爪部材の拘持面３３ｂ，３４ｂに押し付けられる。これによって第１爪部材３３は時計方向に第２爪部材３４は反時計方向に回転して、ボルト２７を拘持し、図５のロック状態になる。なお、ロック装置３０としては、例えばタキゲン製造株式会社の小型「スナッチロック」（登録商標）を採用することができる。
【００１５】
以上説明したように、本実施の形態によれば、ロック解除には板状のロック解除具が必要であり、しかも意匠的な見地から設けられている第２天井と天井板との隙間をロック解除部として使用しているので、一般乗客にはロック解除部の位置やロック解除方法が容易にはわからないため、従来構造に比べていたずらされにくくなる。
【００１６】
前記実施の形態では、操作口蓋２５ｆの開閉について説明したが、他の操作口蓋２５ａ〜２５ｅ，２５ｇ，２５ｈも同一構成とすることができる。またロックピンとしてボルト２７を使用したが、ピン状のものであれば他のものでもよい。更に天井３側にロックピン（ボルト２７）、操作口蓋２５ａ〜２５ｈ側にロック装置３０を設置することもできる。またロック解除具は、専用のロック解除具でなくても、曲尺のような板状のものを使ってもよい。
また、他の実施形態として、操作口蓋２５ａ〜２５ｈの少なくとも１箇所以上を前記ロック装置３０を使用した構成とし、他の操作口蓋は第２天井２０内で天井３側とツマミねじなどによるねじ止めとすることもできる。この構成の場合、操作口蓋を開閉するときには、まずロック装置３０を使用した操作口蓋を開き、そこから手を入れて隣接する操作口蓋のツマミねじを開けて該操作口蓋を開いていくことになる。閉じるときはこの逆の手順となる。
この実施形態であれば、外部から開くことのできる操作口蓋は特定の蓋のみになるので、一層いたずらされにくくなる。またロック装置３０に比べて簡易な構成のツマミねじを多用するため、製造コストも下げることができる。
【００１７】
前記の各実施形態では、操作口蓋２５ａ〜２５ｈがかごの中央側にある場合について説明したが、図７に示すように第２天井３のかご壁２に操作口蓋１５がある場合であっても、第２天井３とかご壁２との間に十分なスペースがあれば適用することができる。
【図面の簡単な説明】
【００１８】
【図１】本発明の実施の形態を示す図で、かご内から天井を見上げた図である。
【図２】図１のＡ−Ａ断面図である。
【図３】図２のＢ部詳細説明図である。
【図４】図２のＢ部詳細説明図である。
【図５】ロック装置の動作を示す説明図。
【図６】ロック装置の動作を示す説明図。
【図７】従来のエレベータかごの天井照明装置の概略を示す縦断面図である。
【図８】図７の要部拡大図である。
【符号の説明】
【００１９】
３  天井
６  照明灯
７，２０  第２天井
１４，２４  操作口
１５，２５ａ〜２５ｈ  操作口蓋（可動部）
２７  ボルト（ロックピン）
３０  ロック装置
３１  ラッチ機構
３３  第１爪部材
３４  第２爪部材
【図１】
2007246243.tif 000003
【図２】
2007246243.tif 000004
【図３】
2007246243.tif 000005
【図４】
2007246243.tif 000006
【図５】
2007246243.tif 000007
【図６】
2007246243.tif 000008
【図７】
2007246243.tif 000009
【図８】
2007246243.tif 000010